(57)【要約】【課題】  可視情報の総数を３以上にしても、個々の可視情報の占有面積を減少させることなく、表示具１全体の占有面積の増大を抑える。【解決手段】  ケース２の前面板３に情報表示窓５を開口し、ケース２の底板４のうちの情報表示窓５に対向する位置に固定可視情報６を担持させる。前面板３と底板４との間に、第一のスライド可視情報９を担持した第一のスライド板８を直線方向に移動可能に収容する。第一のスライド板８と前面板３との間に、第二のスライド可視情報１２を担持した第二のスライド板１１を第一のスライド板８と同方向に移動可能に収容する。第一および第二のスライド板８，１１の移動位置を変えることにより、固定可視情報６、第一のスライド可視情報９または第二スライド可視情報１２のいずれかが外部から情報表示窓５を通して見える。【選択図】    図１４
2007034187.tif 000002
【特許請求の範囲】
【請求項１】
互いに間隔を置いて対向された前面板および底板を有するケースと、前記前面板の一部に開口された情報表示窓と、前記前面板の前記情報表示窓に隣接する部分に設けられた情報遮蔽部分と、前記底板のうちの前記情報表示窓に対向する位置に担持された固定可視情報と、前記ケースに、前記前面板と前記底板との間において直線方向に移動可能に収容された第一のスライド板と、この第一のスライド板に担持された第一のスライド可視情報と、前記ケースに、前記第一のスライド板と前記前面板との間において前記スライド板の移動方向と同方向に移動可能に収容された第二のスライド板と、この第二のスライド板に担持された第二のスライド可視情報とを有してなり、
前記第一および第二のスライド板を前記第一および第二のスライド可視情報が前記前面板のうちの前記情報遮蔽部分に隠れる位置に移動させた状態では、前記固定可視情報が外部から前記情報表示窓を通して見え、
前記第二のスライド板の方は前記第二のスライド可視情報が前記前面板のうちの前記情報遮蔽部分に隠れる位置にある状態において、前記第一のスライド板を前記第一の可視情報が前記情報表示窓に対向する位置に移動させると、前記固定可視情報が前記第一のスライド板の後に隠れ、前記第一のスライド可視情報が外部から前記情報表示窓を通して見え、
前記第二のスライド板を前記第二の可視情報が前記情報表示窓に対向する位置に移動させると、前記第一のスライド可視情報が前記第二のスライド板の後に隠れ、前記第二のスライド可視情報が外部から前記情報表示窓を通して見えるようになっている表示具。
【請求項２】
前記第一のスライド板の前面側の一端部付近に、前方に突出するように設けられており、前記第一のスライド板を移動させるように前記情報表示窓を通して指先で操作可能な第一の操作突部と、前記第二のスライド板の前面側の一端部付近に、前方に突出するように設けられており、前記第二のスライド板を移動させるように前記情報表示窓を通して指先で操作可能な第二の操作突部とをさらに有し、
前記第二の可視情報のより多くの部分が前記情報表示窓に対向することとなる向きに前記第二のスライド板を移動させて行くと、該第二のスライド板が前記第一の操作突起に当接し、既に前記第一のスライド板が最大限移動されていない限り、前記第一および第二のスライド板が一緒に移動するようになるが、前記第二のスライド板を逆向きに移動させるときは、前記第二のスライドカードと前記第一の操作突起とが干渉することはないようになっている請求項１記載の表示具。
【請求項３】
前記第二の可視情報のより多くの部分が前記前面板のうちの前記情報遮蔽部分に隠れる向きに前記第二のスライド板を移動させて行くと、前記第二の操作突起が前記情報表示窓の一端に当接し、それ以上前記第二のスライド板を同じ向きに移動できなくなるようになっているとともに、前記第一の可視情報のより多くの部分が前記前面板のうちの前記情報遮蔽部分に隠れる向きに前記第一のスライド板を移動させて行くと、前記第二のスライドカードに前記第一の操作突起が当接するようになっている請求項２記載の表示具。
【発明の詳細な説明】
【技術分野】
【０００１】
本発明は、予め複数用意されている文字、記号、図形等からなる可視情報を選択的に切り換えて表示する表示具に関する。
【背景技術】
【０００２】
従来より、この種の表示具としては、特許文献１に示されているように、１つの部材に複数の可視情報を互いの位置を固定された状態で担持させておき、スライド部材をスライドして、複数の可視情報のうちの表示したくないものを覆い、スライド部材に覆われていない可視情報のみが外部から見えるようにするものが知られている。
【特許文献１】実開平７−１３８２号公報
【発明の開示】
【発明が解決しようとする課題】
【０００３】
前記従来の表示具において、複数の可視情報が互いの位置を固定された状態で担持されているため、可視情報の総数を３以上にしたい場合には、表示具全体の占有面積が大きくなってしまうという問題があった(なお、可視情報の総数をＮとすると、スライド部材はＮ−１個設けられる)。また、個々の可視情報の占有面積を小さくすれば、表示具全体の占有面積の増大を抑えることはできるが、その場合は可視情報が見にくくなってしまうという問題があった。
【０００４】
本発明は、このような従来の事情に鑑みてなされたもので、本発明の目的は、可視情報の総数を３以上にしても、個々の可視情報の占有面積を減少させることなく、表示具全体の占有面積の増大を抑えることができる表示具を提供することにある。
【０００５】
本発明のさらに他の目的は、以下の説明から明らかになろう。
【課題を解決するための手段】
【０００６】
本発明による表示具は、互いに間隔を置いて対向された前面板および底板を有するケースと、前記前面板の一部に開口された情報表示窓と、前記前面板の前記情報表示窓に隣接する部分に設けられた情報遮蔽部分と、前記底板のうちの前記情報表示窓に対向する位置に担持された固定可視情報と、前記ケースに、前記前面板と前記底板との間において直線方向に移動可能に収容された第一のスライド板と、この第一のスライド板に担持された第一のスライド可視情報と、前記ケースに、前記第一のスライド板と前記前面板との間において前記スライド板の移動方向と同方向に移動可能に収容された第二のスライド板と、この第二のスライド板に担持された第二のスライド可視情報とを有してなり、
前記第一および第二のスライド板を前記第一および第二のスライド可視情報が前記前面板のうちの前記情報遮蔽部分に隠れる位置に移動させた状態では、前記固定可視情報が外部から前記情報表示窓を通して見え、
前記第二のスライド板の方は前記第二のスライド可視情報が前記前面板のうちの前記情報遮蔽部分に隠れる位置にある状態において、前記第一のスライド板を前記第一の可視情報が前記情報表示窓に対向する位置に移動させると、前記固定可視情報が前記第一のスライド板の後に隠れ、前記第一のスライド可視情報が外部から前記情報表示窓を通して見え、
前記第二のスライド板を前記第二の可視情報が前記情報表示窓に対向する位置に移動させると、前記第一のスライド可視情報が前記第二のスライド板の後に隠れ、前記第二のスライド可視情報が外部から前記情報表示窓を通して見えるようになっているものである。
【０００７】
本発明においては、第一および第二のスライド板を第一および第二のスライド可視情報が前面板のうちの情報遮蔽部分に隠れる位置に移動させると、固定可視情報が外部から情報表示窓を通して見える。
【０００８】
また、第二のスライド板の方は第二のスライド可視情報が前面板のうちの情報遮蔽部分に隠れる位置に移動しておいて、第一のスライド板を第一の可視情報が情報表示窓に対向する位置に移動させると、第一のスライド可視情報が外部から情報表示窓を通して見える。
【０００９】
さらに、第二のスライド板を第二の可視情報が情報表示窓に対向する位置に移動させると、第二のスライド可視情報が外部から情報表示窓を通して見える。
【００１０】
したがって、第一および第二のスライド板をそれぞれ移動させることにより、固定可視情報、第一のスライド可視情報または第二のスライド可視情報のいずれかを選択的に切り換えて表示することができる。
【００１１】
なお、選択対象となる可視情報を４以上としたい場合には、第一および第二のスライド板と同様の、スライド可視情報を担持したスライド板を追加すればよい。
【００１２】
本発明においては、従来の表示具の場合のように複数の可視情報が互いの位置を固定された状態で担持されているのではなく、各スライド可視情報が、各スライド板を移動することにより、他のスライド可視情報または固定可視情報に重ね合わされるようになっているので、可視情報の総数を３以上にしても、個々の可視情報の占有面積を減少させることなく、表示具全体の占有面積の増大を抑えることができる。
【発明の効果】
【００１３】
本発明の表示具は、上述のように、可視情報の総数を３以上にしても、個々の可視情報の占有面積を減少させることなく、表示具全体の占有面積の増大を抑えることができる等の優れた効果を得られるものである。
【発明を実施するための最良の形態】
【００１４】
以下、本発明を図面に示す実施例に基づいて説明する。
【実施例】
【００１５】
図１〜１５は本発明の一実施例を示しており、この実施例は、会議等に使用される室の入口付近の壁に取り付けられて、その部屋の使用状況を表示する表示具に本発明を適用した例である。
【００１６】
この実施例において、表示具１のケース２は、アクリル樹脂等のプラスチックからなり、全体に薄く細長い直方体状をなしており、互いに平行に間隔を置いて対向されたそれぞれ平板状かつ大略矩形状の前面板３と底板４とを有している。前記前面板３の一部、さらに詳しく言うと、大略右半分の部分には大略矩形の情報表示窓５が開口されている。前記前面板３の大略左半分の情報表示窓５に隣接する部分には、窓が開口していない情報遮蔽部分３ａが設けられている。図７によく示されるように、前記底板４の前面うちの情報表示窓５に対向する位置には、印刷等により「空室」の文字からなる固定可視情報６が担持されている。前記ケース２の裏面には、図３〜６等に示されるように、両面粘着テープ７が貼付されている。
【００１７】
図５，６，１１，１３および１５によく示されるように、前記ケース２には、前面板３と底板４との間において、アクリル樹脂等のプラスチックからなる平板状かつ大略矩形状の第一のスライド板８が、直線方向、さらに詳しく言うと幅方向(左右方向)に移動可能に収容されている。図８によく示されるように、前記第一のスライド板８の前面には、「予約」の文字からなる第一のスライド可視情報９が印刷等により担持されている。また、前記第一のスライド板８の前面側の右端部付近には、横断面三角形状で上下方向に直線状に延びる第一の操作突部１０が前方に突出するようにして設けられている。また、前記ケース２には、第一のスライド板８と前面板３との間において、アクリル樹脂等のプラスチックからなる平板状かつ大略矩形状の第二のスライド板１１が、直線方向、さらに詳しく言うと幅方向(左右方向)に移動可能に収容されている。図９によく示されるように、前記第二のスライド板１１の前面には、「会議中」の文字からなる第二のスライド可視情報１２が印刷等により担持されている。前記第二のスライド板１１の前面側の右端部付近には、横断面三角形状で上下方向に直線状に延びる第二の操作突部１３が前方に突出するようにして設けられている。
【００１８】
次に、本実施例の作動を説明する。この表示具１は、会議等に使用される室の入口付近の壁（図示せず）に、両面粘着テープ７を粘着させて取り付けることができる。
【００１９】
この表示具１においては、第二の操作突部１３に指先(爪を含む)を掛けて第二のスライド板１１を左方、すなわち第二のスライド可視情報１２のより多くの部分が前面板３のうちの情報表示窓５でない部分情報遮蔽部分３ａに隠れる向きに移動させて行くと、図１０および１１に示されるように、第二の操作突部１３が情報表示窓５の左端に当接し、それ以上第二のスライド板１１を左方に移動できなくなる。なお、このように第二のスライド板１１を左方に移動させる場合は、第二のスライド板１１と第一の操作突部１０とが干渉することはないので、スライド板８，１１間に大きな摩擦力が作用することがないようにしておけば、第一のスライド板８は静止しており、第二のスライド板１１のみが左方に移動する。
【００２０】
また、第一の操作突部１０に指先(爪を含む)を掛けて第一のスライド板８を左方、すなわち第一のスライド可視情報９のより多くの部分が前面板３のうちの情報遮蔽部分３ａに隠れる向きに移動させて行くと、図２および５に示されるように、第二のスライド板１１の右端に第一の操作突部１０が当接する。すると、図２および５の場合、上述のように既に第二の操作突部１３が情報表示窓５の左端に当接しており、第二のスライド板１１がそれ以上左方に移動できない状態になっているので、第一のスライド板８もそれ以上左方に移動できなくなる。図１４および１５に示されるように、第二の操作突部１３が情報表示窓５の左端に当接していないときに、第一のスライド板８を左方に移動させた場合には、第二のスライド板１１の右端に第一の操作突部１０が当接した時点で第二のスライド板１１も第一のスライド板８と一緒に左方に移動し始め、第二の操作突部１３が情報表示窓５の左端に当接した時点で第一および第二のスライド板８，１１の双方がそれ以上左方に移動できなくなる。ただし、このように第一のスライド板８を左方に移動する場合、スライド板８，１１間の摩擦力がある程度大きくなっていると、第一および第二の操作突部１３が互いに当接していなくても第一および第二のスライド板８，１１が一緒に移動してしまうが、そうなっても特に支障は生じない。
【００２１】
他方、第一の操作突部１０に指先を掛けて第一のスライド板８を右方（第一のスライド可視情報９のより多くの部分が情報表示窓５に対向することとなる向き）に移動させて行く場合は、第一の操作突部１０と第二のスライド板１１とが干渉することはないので、スライド板８，１１間に大きな摩擦力が作用することがないようにしておけば、第一のスライド板８のみが右方に移動する。
【００２２】
また、第二の操作突部１３に指先を掛けて第二のスライド板１１を右方（第二のスライド可視情報１２のより多くの部分が情報表示窓５に対向することとなる向き）に移動させて行くと、該第二のスライド板１１の右端が第一の操作突部１０に当接し、第一のスライド板８が既に最大限右方に移動されていない限り、第一および第二のスライド板８，１１が一緒に移動するようになる。そして、図１３のように、第一のスライド板８の右端がケース２内部の右端に当接すると、第一のスライド板８がそれ以上右方に移動できなくなるので、第二のスライド板１１もそれ以上右方に移動できなくなる。
【００２３】
さて、次に、表示する可視情報を選択する操作について具体的に説明すると、図２および５に示されるように、第一および第二のスライド板８，１１を第一のスライド可視情報９「予約」および第二のスライド可視情報１２「会議中」が前面板３のうちの情報遮蔽部分３ａに隠れる位置に移動させると、固定可視情報６「空室」のみが外部から情報表示窓５を通して見える。
【００２４】
また、図１０および１１に示されるように、第二のスライド板１１の方は第二のスライド可視情報１２「会議中」が前面板３のうちの情報遮蔽部分３ａに隠れる位置まで左方に移動しておいて、第一のスライド板８を第一のスライド可視情報９「予約」が情報表示窓５に対向する位置まで右方に移動させると、固定可視情報６「空室」は第一のスライド板８の後に隠れてしまうので、第一のスライド可視情報９「予約」のみが外部から情報表示窓５を通して見える。
【００２５】
さらに、図１２および１３に示されるように、第二のスライド板１１を第二のスライド可視情報１２「会議中」が情報表示窓５に対向する位置まで右方に移動させると、第一のスライド可視情報９「予約」は第二のスライド板１１の後に隠れてしまうので、第二のスライド可視情報１２「会議中」のみが外部から情報表示窓５を通して見える。
【００２６】
したがって、第一および第二のスライド板８，１１をそれぞれ移動させることにより、固定可視情報６「空室」、第一のスライド可視情報９「予約」または第二のスライド可視情報１２「会議中」のいずれかを選択的に切り換えて表示することができる。
【００２７】
なお、選択対象となる可視情報を４以上としたい場合には、第一および第二のスライド板８，１１と同様の、スライド可視情報を担持したスライド板を追加すればよい。
【００２８】
この表示具１は、従来の表示具の場合のように複数の可視情報が互いの位置を固定された状態で担持されているのではなく、各スライド可視情報９，１２が、各スライド板８，１１を移動させることにより、他のスライド可視情報９，１２または固定可視情報６に重ね合わされるようになっているので、可視情報の総数を３以上にしても、個々の可視情報６，９，１２の占有面積を減少させることなく、表示具１全体の占有面積の増大を抑えることができる。
【００２９】
なお、前記実施例は、会議等に使用される室の入口付近の壁に取り付けられて、その部屋の使用状況を表示する表示具１に本発明を適用した例であるが、本発明は他の種の可視情報を表示する表示具にも適用でき、各可視情報の内容も任意のものとすることができる。
【産業上の利用可能性】
【００３０】
以上のように本発明による表示具は、予め複数用意されている文字、記号、図形等からなる可視情報を選択的に切り換えて表示する表示具として有用である。
【図面の簡単な説明】
【００３１】
【図１】固定可視情報を表示した状態における本発明による表示具の一実施例を示す斜視図である。
【図２】図１と同じく固定可視情報を表示した状態における前記実施例を示す正面図である。
【図３】前記実施例を示す側面図である。
【図４】前記実施例を示す平面図である。
【図５】図２のＶ−Ｖ線における断面図である。
【図６】図２のＶＩ−ＶＩ線における断面図である。
【図７】前記実施例におけるケースを単独で示す斜視図である。
【図８】前記実施例における第一のスライド板を単独で示す斜視図である。
【図９】前記実施例における第二のスライド板を単独で示す斜視図である。
【図１０】第一のスライド可視情報を表示した状態における前記実施例を示す正面図である。
【図１１】図１０と同じく第一のスライド可視情報を表示した状態における前記実施例を示す断面図である。
【図１２】第二のスライド可視情報を表示した状態における前記実施例を示す正面図である。
【図１３】図１２と同じく第二のスライド可視情報を表示した状態における前記実施例を示す断面図である。
【図１４】第一および第二のスライド板が中間位置にある状態における前記実施例を示す正面図である。
【図１５】図１４と同じく第一および第二のスライド板が中間位置にある状態における前記実施例を示す断面図である。
【符号の説明】
【００３２】
１    表示具
２    ケース
３    前面板
３ａ  前面板のうちの情報遮蔽部分
４    底板
５    情報表示窓
６    固定可視情報
８    第一のスライド板
９    第一のスライド可視情報
１０    第一の操作突部
１１    第二のスライド板
１２    第二のスライド可視情報
１３    第二の操作突部
【図１】
2007034187.tif 000003
【図２】
2007034187.tif 000004
【図３】
2007034187.tif 000005
【図４】
2007034187.tif 000006
【図５】
2007034187.tif 000007
【図６】
2007034187.tif 000008
【図７】
2007034187.tif 000009
【図８】
2007034187.tif 000010
【図９】
2007034187.tif 000011
【図１０】
2007034187.tif 000012
【図１１】
2007034187.tif 000013
【図１２】
2007034187.tif 000014
【図１３】
2007034187.tif 000015
【図１４】
2007034187.tif 000016
【図１５】
2007034187.tif 000017